(57)【要約】【課題】設定値の変更を容易にすると共に誤入力を防止することを目的とする。【解決手段】比較手段での比較の結果、設定項目の設定値に差分があると判断した場合、初期のスクリプトを特定可能なスクリプトＩＤと、実行用のスクリプトを実行したユーザを特定可能なユーザＩＤと、設定項目の設定値の差分と、を履歴として生成し、記憶装置に記憶する履歴生成手段と、スクリプトを実行する前に、履歴の表示を要求された場合、履歴生成手段で生成された記憶装置に記憶されている履歴から、差分が存在した設定値を初期のスクリプトに反映させるための設定項目を選択させるための選択部と、選択部で選択された設定項目の設定を初期のスクリプトに反映させることを確定させるための確定部と、を含む画面を表示する履歴表示手段と、を有することによって課題を解決する。【選択図】図６
2012171170.tif 000002
【特許請求の範囲】
【請求項１】
機能の設定項目及び設定項目に対する設定値を記録可能なスクリプトを実行する画像処理装置であって、
初期のスクリプトを呼び出し、実行前編集画面を表示し、前記初期のスクリプトの設定項目の設定値の変更を受け付ける実行前編集画面表示手段と、
前記実行前編集画面表示手段で受け付けられた変更に基づき、前記初期のスクリプトの設定項目の設定値を変更し、実行用のスクリプトとして一時的に記憶装置に記憶する記憶手段と、
前記実行用のスクリプトの実行の結果に応じて、前記初期のスクリプトと、前記実行用のスクリプトと、の設定項目の設定値を比較する比較手段と、
前記比較手段での比較の結果、設定項目の設定値に差分があると判断した場合、前記初期のスクリプトを特定可能なスクリプトＩＤと、前記実行用のスクリプトを実行したユーザを特定可能なユーザＩＤと、前記設定項目の設定値の差分と、を履歴として生成し、記憶装置に記憶する履歴生成手段と、
スクリプトを実行する前に、履歴の表示を要求された場合、前記履歴生成手段で生成された前記記憶装置に記憶されている履歴から、差分が存在した設定値を前記初期のスクリプトに反映させるための設定項目を選択させるための選択部と、前記選択部で選択された設定項目の設定を前記初期のスクリプトに反映させることを確定させるための確定部と、を含む画面を表示する履歴表示手段と、
を有する画像処理装置。
【請求項２】
前記比較手段は、前記実行用のスクリプトの実行の結果、正常終了した場合、前記初期のスクリプトと、前記実行用のスクリプトと、の設定項目の設定値の比較を実行し、前記実行用のスクリプトの実行の結果、エラー終了した場合、前記比較を実行しない請求項１記載の画像処理装置。
【請求項３】
前記比較手段は、前記実行用のスクリプトの実行の結果、正常終了した場合、及び、一時的要因でエラー終了した場合、前記初期のスクリプトと、前記実行用のスクリプトと、の設定項目の設定値の比較を実行し、前記実行用のスクリプトの実行の結果、恒久的要因でエラー終了した場合、前記比較を実行しない請求項１記載の画像処理装置。
【請求項４】
前記一時的要因とは、指定されたサイズの用紙がないことであり、前記恒久的要因とは、スクリプトの実行に必要なオプションが設置されていないことである請求項３記載の画像処理装置。
【請求項５】
前記履歴生成手段は、前記比較手段での比較の結果、設定項目の設定値に差分があると判断した場合、前記初期のスクリプトを特定可能なスクリプトＩＤと、前記実行用のスクリプトを実行したユーザを特定可能なユーザＩＤと、履歴の世代を識別可能な番号と、前記設定項目の設定値の差分と、を履歴として生成し、記憶装置に記憶し、
前記履歴表示手段は、履歴の世代を切り替えるための履歴世代切り替え部を更に含む前記画面を表示する請求項１乃至４何れか１項記載の画像処理装置。
【請求項６】
前記スクリプトには、複数の機能と、各機能の設定項目及び設定項目に対する設定値と、を記録可能であり、
前記履歴表示手段は、機能別に一括で設定項目を選択状態にするための機能別一括選択部を更に含む前記画面を表示する請求項１乃至５何れか１項記載の画像処理装置。
【請求項７】
前記スクリプトには、複数の機能と、各機能に複数の設定項目及び設定項目に対する設定値と、を記録可能であり、
前記履歴表示手段は、全ての設定項目を選択状態にするための選択部を更に含む前記画面を表示する請求項１乃至６何れか１項記載の画像処理装置。
【請求項８】
機能の設定項目及び設定項目に対する設定値を記録可能なスクリプトを実行する画像処理装置が実行する情報処理方法であって、
初期のスクリプトを呼び出し、実行前編集画面を表示し、前記初期のスクリプトの設定項目の設定値の変更を受け付ける実行前編集画面表示ステップと、
前記実行前編集画面表示ステップで受け付けられた変更に基づき、前記初期のスクリプトの設定項目の設定値を変更し、実行用のスクリプトとして一時的に記憶装置に記憶する記憶ステップと、
前記実行用のスクリプトの実行の結果に応じて、前記初期のスクリプトと、前記実行用のスクリプトと、の設定項目の設定値を比較する比較ステップと、
前記比較ステップでの比較の結果、設定項目の設定値に差分があると判断した場合、前記初期のスクリプトを特定可能なスクリプトＩＤと、前記実行用のスクリプトを実行したユーザを特定可能なユーザＩＤと、前記設定項目の設定値の差分と、を履歴として生成し、記憶装置に記憶する履歴生成ステップと、
スクリプトを実行する前に、履歴の表示を要求された場合、前記履歴生成ステップで生成された前記記憶装置に記憶されている履歴から、差分が存在した設定値を前記初期のスクリプトに反映させるための設定項目を選択させるための選択部と、前記選択部で選択された設定項目の設定を前記初期のスクリプトに反映させることを確定させるための確定部と、を含む画面を表示する履歴表示ステップと、
を含む情報処理方法。
【請求項９】
機能の設定項目及び設定項目に対する設定値を記録可能なスクリプトを実行するコンピュータに、
初期のスクリプトを呼び出し、実行前編集画面を表示し、前記初期のスクリプトの設定項目の設定値の変更を受け付ける実行前編集画面表示ステップと、
前記実行前編集画面表示ステップで受け付けられた変更に基づき、前記初期のスクリプトの設定項目の設定値を変更し、実行用のスクリプトとして一時的に記憶装置に記憶する記憶ステップと、
前記実行用のスクリプトの実行の結果に応じて、前記初期のスクリプトと、前記実行用のスクリプトと、の設定項目の設定値を比較する比較ステップと、
前記比較ステップでの比較の結果、設定項目の設定値に差分があると判断した場合、前記初期のスクリプトを特定可能なスクリプトＩＤと、前記実行用のスクリプトを実行したユーザを特定可能なユーザＩＤと、前記設定項目の設定値の差分と、を履歴として生成し、記憶装置に記憶する履歴生成ステップと、
スクリプトを実行する前に、履歴の表示を要求された場合、前記履歴生成ステップで生成された前記記憶装置に記憶されている履歴から、差分が存在した設定値を前記初期のスクリプトに反映させるための設定項目を選択させるための選択部と、前記選択部で選択された設定項目の設定を前記初期のスクリプトに反映させることを確定させるための確定部と、を含む画面を表示する履歴表示ステップと、
を実行させるプログラム。
【発明の詳細な説明】
【技術分野】
【０００１】
本発明は、画像処理装置、情報処理方法及びプログラムに関する。
【背景技術】
【０００２】
複合機では、複合機の操作パネルからの入力を簡略化するために、入力した値をスクリプトとして記憶しておき、処理を実行する際には操作パネルからの複雑な設定をせずとも、実行するスクリプトを指示するだけで処理可能なプログラムが提案されている。一度スクリプトを正しく作成しておけば、次回以降、同じ設定で何度でも処理可能であるため、誤入力防止の効果も得られる。
また、入力の簡略化、誤入力防止を目的とした手段として、各設定項目に対し入力を確定する都度、以前の入力値と比較し、一致しなければ警告を表示して推奨設定（以前の入力値）への変更を促すようなプログラムも提案されている（特許文献１参照）。
【先行技術文献】
【特許文献】
【０００３】
【特許文献１】特開２００７−１７９５０８号公報
【発明の概要】
【発明が解決しようとする課題】
【０００４】
前述したスクリプト方式では、毎回同じ設定で実行する場合には非常に便利である。しかしながら、一部の設定に対して都度変更しながら実行するようなケースにおいては、その一部の設定値を毎回入力しなくてはならず、煩雑である。
また、以前の入力値と比較を行う方式では、入力値を変更する度に警告が表示されるため、意図的に変更している場合には煩く感じられる。
【０００５】
本発明はこのような問題点に鑑みなされたもので、画像処理装置においてスクリプトを実行させる際の利便性を向上させることを目的とする。
【課題を解決するための手段】
【０００６】
そこで、本発明は、機能の設定項目及び設定項目に対する設定値を記録可能なスクリプトを実行する画像処理装置であって、初期のスクリプトを呼び出し、実行前編集画面を表示し、前記初期のスクリプトの設定項目の設定値の変更を受け付ける実行前編集画面表示手段と、前記実行前編集画面表示手段で受け付けられた変更に基づき、前記初期のスクリプトの設定項目の設定値を変更し、実行用のスクリプトとして一時的に記憶装置に記憶する記憶手段と、前記実行用のスクリプトの実行の結果に応じて、前記初期のスクリプトと、前記実行用のスクリプトと、の設定項目の設定値を比較する比較手段と、前記比較手段での比較の結果、設定項目の設定値に差分があると判断した場合、前記初期のスクリプトを特定可能なスクリプトＩＤと、前記実行用のスクリプトを実行したユーザを特定可能なユーザＩＤと、前記設定項目の設定値の差分と、を履歴として生成し、記憶装置に記憶する履歴生成手段と、スクリプトを実行する前に、履歴の表示を要求された場合、前記履歴生成手段で生成された前記記憶装置に記憶されている履歴から、差分が存在した設定値を前記初期のスクリプトに反映させるための設定項目を選択させるための選択部と、前記選択部で選択された設定項目の設定を前記初期のスクリプトに反映させることを確定させるための確定部と、を含む画面を表示する履歴表示手段と、を有する。
【発明の効果】
【０００７】
本発明によれば、設定値の変更を容易にすると共に誤入力を防止することができる。
【図面の簡単な説明】
【０００８】
【図１】複合機のハードウェア構成の一例を示す図である。
【図２】スクリプトの一例を示す図である。
【図３】初期スクリプトの内容の一例を示す図である。
【図４】履歴生成の処理の一例を示すフローチャートである。
【図５】履歴情報の一例を示す図である。
【図６】履歴呼び出し時の操作部に表示される画面の一例を示す図である。
【発明を実施するための形態】
【０００９】
以下、本発明の実施形態について図面に基づいて説明する。
【００１０】
＜実施形態１＞
図１は、複合機１０１のハードウェア構成の一例を示す図である。複合機１０１は、画像処理装置（コンピュータ）の一例である。
リーダー装置１０２は、原稿画像を光学的に読み取り、画像データに変換する。リーダー装置１０２は、原稿を読取るための機能を持つスキャナユニット１０３と、原稿用紙を搬送するための機能を持つ原稿給紙ユニット１０４と、で構成される。機器構成によっては、原稿給紙ユニット１０４を持たないもの（この場合は所謂、圧板と呼ばれるプラテンガラスに原稿を置きセンサにより読み取る）もあり得る。プリンタ部１４０は、記録紙を搬送し、その上に画像データを可視画像として印字して装置外に排紙する。プリンタ部１４０は、複数種の記録紙カセットを持つ給紙ユニット１０８と、画像データを記録紙に転写、定着させるマーキングユニット１０６と、印字された記録紙をソート、ステイプルして機外へ出力する排紙ユニット１０７と、で構成される。
【００１１】
制御装置１０５は、複合機１０１全体の制御を司るもので、ＣＰＵ、ＲＯＭ、ＲＡＭを含む。制御装置１０５は、リーダー部１０２、プリンタ部１４０と電気的に接続され、更にＬＡＮ１１０に接続されている。制御装置１０５は、リーダー部１０２を制御して、原稿の画像データを読込み、プリンタ部１４０を制御して画像データを記録用紙に出力してコピー機能を提供する。また、制御装置１０５は、リーダー部１０２から読取った画像データをコードデータに変換し、ＬＡＮ１１０を介してホストコンピュータへ送信するネットワークスキャナ機能を提供する。また、制御装置１０５は、リーダー部１０２から読取った画像データをＨＤＤ１３０に備えるボックスというストレージサービスに登録するボックススキャン機能を提供する。また、ボックスに登録されている画像データをプリンタ部１４０に出力するボックスプリント機能を提供する。また、制御装置１０５は、ホストコンピュータからＬＡＮ１１０を介して受信したコードデータを画像データに変換し、ストレージサービスに登録するボックス保管機能を提供する。また、制御装置１０５は、ボックスに登録されている画像データをコードデータに変換し、ＬＡＮ１１０を介してホストコンピュータへ送信する送信機能を提供する。更には、制御装置１０５は、ホストコンピュータからＬＡＮ１１０を介して受信したコードデータを画像データに変換し、プリンタ部１４０に出力するネットワークプリント機能を提供する。
操作部１２０は、液晶表示部と液晶表示部との上に張り付けられたタッチパネル入力装置と、複数個のハードキーと、を有し、ユーザが様々な操作を行うためのユーザＩ／Ｆを提供する。タッチパネル又はハードキーにより入力された信号は制御装置１０５に伝えられ、液晶表示部は、制御装置１０５から送られてきた表示データを表示する。
制御装置１０５（又はＣＰＵ）が、プログラムに基づき処理を実行することによって、複合機１０１の機能及び後述するフローチャートの処理が実現される。
【００１２】
図２は、スクリプトの一例を示す図である。
スクリプト２００には、複数の機能（２０１，２０２）を記録可能で、各機能には複数の設定項目及び設定項目に対する設定値（２０３，２０４，２０５）が記録されている。この設定値は、一部未入力の状態で記録することが可能である。この場合、ユーザは、スクリプト２００を実行する際に、操作部１２０から値を都度入力し、スクリプトを一時的に完成させた状態で実行することができる。
図３は、初期スクリプトの内容の一例を示す図である。
スクリプト３００は、原稿をスキャンして送信、かつ、印刷をするためもので、スキャン機能３０１と送信機能３０２と印刷機能３０３とが記録されている。各々の機能には、各々の機能を実行するために必要な設定項目３０４〜３１２が存在する。これら設定項目は、本実施形態を説明する上で必要最低限の設定項目であって、実際の複合機で生成されるスクリプトには、他にも様々な設定項目が存在する。
この初期スクリプトは、複合機１０１の操作部１２０において、ユーザからの入力を基に生成され、ＨＤＤ１３０に蓄積されている。
【００１３】
図４は、履歴生成の情報処理の一例を示すフローチャートである。
制御装置１０５が、ＨＤＤ１３０に蓄積されている初期スクリプト３００を読み出し、スクリプトを実行することによって、図４に示される処理が開始される。なお、このとき、制御装置１０５は、実行時のスクリプトを不図示のメモリに一時的に記憶しておく。スクリプトの実行が完了したとき、ステップ４０１において、制御装置１０５は、実行結果をチェックする。実行結果が問題なく正常終了である場合、ステップ４０２において、制御装置１０５は、初期スクリプト３００と一時的にメモリに記憶してある実行時スクリプトの内容を比較する。ステップ４０２で比較した結果差分なしと判断した場合、制御装置１０５は、履歴を生成することなく処理を終了する（ステップ４０３）。ステップ４０１での実行結果がエラー終了であるとき、制御装置１０５は、ステップ４０４で更に終了要因をチェックする。制御装置１０５は、終了要因が一時的要因であるときはステップ４０２へ、終了要因が恒久的要因であるときは履歴を生成することなく図４に示す処理を終了する。
ここで、一時的要因とは、用紙なしによるエラー終了などがあげられる。例えばスクリプト３００の印刷機能３０３の中で、用紙サイズの設定値３１１としてＡ４サイズの用紙が指定されているが、スクリプト３００を実行するときの複合機１０１にＡ４サイズの用紙がセットされていなかったときである。所望のサイズの用紙がないという状況は、ユーザが用紙を補給すれば解決可能な状況であり、制御装置１０５は、このようなケースを一時的要因と判断する。
【００１４】
一方、恒久的要因とは、スクリプトの実行に必要なオプションが設置されていないことによるエラー終了があげられる。例えばスクリプト３００の送信機能３０２の中で、ファイル形式の設定値３０９として暗号ＰＤＦが指定されているが、この暗号ＰＤＦを生成するために必要なオプションモジュールが複合機１０１に搭載されていなかったときである。オプションのモジュールが設置されていないということは、ユーザが新たにオプションを購入する必要があり、即座に解決できる要因ではない。即ち、スクリプト３００は現在の複合機１０１の状態では、何度実行したとしてもエラー終了となるため、制御装置１０５は、このようなケースを恒久的要因と判断する。なお、本実施形態で示した一時的要因及び恒久的要因は一例である。
制御装置１０５は、スクリプトの実行が正常終了若しくは一時的要因によるエラー終了で、かつ、初期スクリプトと一時的にメモリに蓄積している実行用スクリプトの内容に差分があったとき、その差分を履歴として記憶する（ステップ４０５）。そして、制御装置１０５は、図４に示す処理を終了する。
【００１５】
図５は、履歴情報の一例を示す図である。
例えば、初期スクリプト３００を実行する際、ユーザが、読み取りサイズ３０６をＡ４、印刷カラーモード３１０をグレースケールに、送信ファイル名３０８を議事録に変更し、更に送信宛先３０７には実際のメールアドレス（例えばａｂｃｄ＠ｃａｎｏｎ．ｃｏ．ｊｐ）を入力したとする。このとき、制御装置１０５が、初期スクリプト３００との差分のみを、スクリプト２００の形式でＨＤＤ１３０に記録したものが履歴５２０である。なお、本実施形態ではスクリプト形式で履歴を記録するとしたが、他の形式でもよい。
次に送信宛先３０７のみ、ユーザが異なる宛先を入力してスクリプトを実行したとする。このとき、制御装置１０５が、初期スクリプト３００との差分をＨＤＤ１３０に記録したものが履歴５１０である。
つまり、操作部１２０を介して所定の操作が行われると、制御装置１０５は、後述するような実行前編集画面を操作部１２０に表示する（実行前編集画面表示）。例えば、先ほどとは異なる宛先等をユーザが入力すると、制御装置１０５は、設定項目「宛先」の設定値であるメールアドレスの変更を受け付ける。制御装置１０５は、受け付けた変更に基づき、例えば、初期のスクリプトの設定項目の設定を変更し、実行用のスクリプトとして一時的にＲＡＭ等の記憶装置に記憶する。そして、制御装置１０５は、前記実行用のスクリプトの実行が正常終了した場合等に、初期のスクリプトである初期スクリプトと、前記実行用のスクリプトと、の設定項目の設定値を比較する。制御装置１０５は、比較の結果、設定値に差分があると判断した場合、差分を履歴５１０等の様な形式でＨＤＤ１３０等に記憶する。
【００１６】
スクリプトには、スクリプトを特定するためのスクリプトＩＤ５０１が付与されており、履歴５１０、５２０は、同じスクリプトの履歴として、スクリプトＩＤ５０１と関連付けて記憶される。
また、５１１、５２１の番号は、その履歴が何回前の実行で記憶されたものかを示すも番号、つまり、履歴の世代を識別可能な番号である。つまり、履歴５２０は現在より２回前に実行したときの履歴であり、履歴５１０は現在より１回前に実行したときの履歴である。一つのスクリプトに対し、履歴を記憶する回数は、ユーザが設定可能で、予め決定されているものである。本実施形態では履歴の記憶回数を２回とする。履歴５１０と５２０とが記録されている状態で、更にスクリプト３００を実行し差分が生じた場合、制御装置１０５は、古いほうの履歴５２０を消去し、履歴５１０の番号５１１を０１から０２に更新し、今回の差分を１回前の実行で生成された履歴として記録する。
複合機１０１は、認証アプリケーションと連携して動作する。つまり、制御装置１０５は、履歴を、ユーザＩＤ毎に管理する。つまり、ＵｓｅｒＡというユーザＩＤを有する者がスクリプトＩＤ０００１のスクリプトを実行した際の履歴は、ユーザ毎、履歴５００のようにスクリプトを実行したユーザを特定可能なユーザＩＤと関連付けて記録される。
【００１７】
図６は、履歴呼び出し時の操作部１２０に表示される画面の一例を示す図である。
画面６００は、スクリプト３００を実行する際の実行前編集画面である。画面６００は、スクリプト３００の送信機能部分を表示したものであるが、ここに、履歴を表示するための履歴表示ボタン６０１が配置されている。表示領域６０２は、送信機能にかかわらず、全ての機能の編集画面にもある。ユーザは、表示領域６０２の履歴表示ボタン６０１を押下し、いつでも履歴を呼び出すことが可能となっている。履歴表示ボタン６０１が押下されると、つまり、履歴の表示を要求されると、制御装置１０５は、画面６１０に遷移させる。画面６１０は、現在実行しようとしているスクリプトにおいて、初期スクリプトと実際に実行した実行用のスクリプトとの差分を表示するためのものである。画面６１０は、複合機が備える機能を切り替えるための機能切り替えボタン６１１と機能別一括設定ボタン６１２と全て一括設定ボタン６１３と確定ボタン６１４と履歴世代切り替えボタン６１５、６１６とで構成されている。
【００１８】
機能切り替えボタン６１１は、スキャン、送信、印刷等の複合機が備える機能を切りかえるためのボタンである。それぞれのボタンが押下されると、該当する機能の履歴が表示領域６２０にリストで表示される。表示領域６２０に表示されるものは、履歴５００に記録されている差分のみが表示される。履歴世代切り替えボタン６１５、６１６は、何回前の履歴を呼び出すかを切り替えるためのボタンである。ボタン６１５が押下されれば、表示領域６２０には前回の履歴のみが表示され、ボタン６１６が押下されれば、前々回の履歴のみが表示領域６２０に表示される。表示領域６２０は、選択部の一例である。
機能別一括設定ボタン６１２は、表示領域６２０に現在表示されている内容を一括で選択状態にするためのボタンである。機能別一括設定ボタン６１２が押下されると、例えば、画面６１０の例では「２つ前」の「送信」機能の履歴が全て選択状態となる。ここで、「印刷」機能に切り替えられ、改めて機能別一括設定ボタン６１２が押下されると、「２つ前」の「印刷」機能の履歴が全て選択状態になるが、「送信」機能の履歴も選択状態が保たれたままとなる。ユーザは、機能別一括設定ボタン６１２を使用することで、少なくとも一つ以上の機能の履歴を一括で選択状態にし、組み合わせる事が可能となる。
機能別一括設定ボタン６１２は、機能別一括選択部の一例である。
【００１９】
全て一括設定ボタン６１３は、全ての機能の履歴を一括で選択状態にするためのものである。全て一括設定ボタン６１３が押下されると、例えば、画面６１０の例では「２つ前」の全ての機能の履歴が選択状態となる。
また、表示領域６２０は、リスト形式で表示されており、ユーザは、行毎に選択可能である。例えば、画面６１０の表示領域６２０には、「宛先」と「送信ファイル名」とが表示されているが、ユーザは、「宛先」が表示されている行をタッチすることで、その行のみを選択状態にすることができる。逆にユーザは、「宛先」が選択状態にあるときにその行をタッチすることでその行のみ選択解除することができる。
確定ボタン６１４は、表示領域６２０の現在選択状態にある項目だけを初期スクリプト３００に上書きするためのボタンである。前述した機能別一括設定ボタン６１２により選択されたものや、全て一括設定ボタン６１３によって選択されたもの、行毎に個別に選択されたものが上書きの対象となる。確定ボタン６１４は、確定部の一例である。
確定ボタン６１４が押下されて、選択した項目の履歴内容を初期スクリプトに上書きすると、制御装置１０５は、上書きした内容を反映させた状態で画面６００を表示し直す。
【００２０】
＜その他の実施形態＞
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【００２１】
以上、上述した各実施形態によれば、画像処理装置においてスクリプトを実行させる際の利便性を向上させることができる。例えば、履歴が世代毎に管理されるため、ユーザは、どのような組み合わせで設定内容を変更したかがわかり易くなる。また、初期スクリプトとの差分のみが履歴として表示されるため、変更した箇所が明確になり、設定値の変更目的や用途を認識しやすくなる。更に、常に選択式で履歴内容が表示されるため、履歴を再利用する際にテキスト等を入力する必要がなく、利便性が向上する。
【００２２】
以上、本発明の好ましい実施形態について詳述したが、本発明は係る特定の実施形態に限定されるものではなく、特許請求の範囲に記載された本発明の要旨の範囲内において、種々の変形・変更が可能である。
【図１】
2012171170.tif 000003
【図２】
2012171170.tif 000004
【図３】
2012171170.tif 000005
【図４】
2012171170.tif 000006
【図５】
2012171170.tif 000007
【図６】
2012171170.tif 000008